(57)【要約】【課題】  本発明は、コストの低い、夜間等の暗闇で使用する場合の醍醐味が味わえる模擬銃を提供することを目的とするものである。【解決手段】  模擬弾を外部に発射するための圧力を発生する圧力発生機構と、模擬弾の通路であって当該通路内で前記圧力が模擬弾に与えられる加圧路と、当該加圧路から模擬弾を外部に導くためのバレルと、マガジンから送り込まれた模擬弾を前記加圧路に導くための導入路であって前記加圧路と交差するものとが銃本体に設けられた模擬銃において、前記導入路に位置する模擬弾に光を照射するための発光部が設けられていることを特徴とする。【選択図】図１
2019120483.tif 000002
【特許請求の範囲】
【請求項１】
模擬弾を外部に発射するための圧力を発生する圧力発生機構と、模擬弾の通路であって当該通路内で前記圧力が模擬弾に与えられる加圧路と、当該加圧路から模擬弾を外部に導くためのバレルと、マガジンから送り込まれた模擬弾を前記加圧路に導くための導入路であって前記加圧路と交差するものとが銃本体に設けられた模擬銃において、前記導入路に位置する模擬弾に光を照射するための発光部が設けられていることを特徴とする模擬銃。
【請求項２】
請求項１に記載の模擬銃において、前記発光部は前記導入路における模擬弾の進行方向に対して直角方向の互いに対抗する位置のそれぞれに設けられていることを特徴とする模擬銃。
【請求項３】
請求項１に記載の模擬銃において、前記導入路には模擬弾の進行方向と同一方向に孔が設けられており、前記発光部における発光素子は前記孔の内部に取付けられていることを特徴とする模擬銃。
【請求項４】
請求項１に記載の模擬銃において、前記導入路の一部あるいは全体の部材が透明部材で構成され、当該透明部材の周辺に前記発光部が設けられていることを特徴とする模擬銃。
【請求項５】
模擬弾を外部に発射するための圧力を発生する圧力発生機構と、模擬弾の通路であって当該通路内で前記圧力が模擬弾に与えられる加圧路と、模擬弾を前記加圧路から外部に導くためのバレルと、マガジンから送り込まれた模擬弾を前記加圧路に導くための導入路であって前記加圧路と交差するものとが銃本体に設けられた模擬銃において、前記加圧路に位置する模擬弾に光を照射するための発光部が設けられ、当該発光部は模擬弾を外部に発射することを指令したことに合わせて発光し始め模擬弾が外部に発射された後では発光が停止していることを特徴とする模擬銃。
【請求項６】
請求項５に記載の模擬銃において、前記発光部は前記加圧路における模擬弾の進行方向に対して直角方向の互いに対抗する位置のそれぞれに設けられていることを特徴とする模擬銃。
【請求項７】
請求項５に記載の模擬銃において、前記加圧路には模擬弾の進行方向と同一方向に孔が設けられており、前記発光部における発光素子は前記孔の内部に取付けられていることを特徴とする模擬銃。
【請求項８】
請求項５に記載の模擬銃において、前記加圧路の一部あるいは全体の部材が透明部材で構成され、当該透明部材の周辺に前記発光部が設けられていることを特徴とする模擬銃。
【発明の詳細な説明】
【発明の詳細な説明】
【技術分野】
【０００１】  本発明は、例えばサバイバルゲーム場で用いられる模擬銃に関する。
【背景技術】
【０００２】  夜間等の暗闇で行うサバイバルゲームで使用する模擬銃においては、例えば特許文献１に開示されているように、バレルを通過する蓄光型の模擬弾に光を照射する方式がある。この方式においては、バレルの特定位置の通過時に光を照射するものであるから、光量の大きな発光部やその制御部を必要とする等、コストが高くなる。さらにまた、光量の大きな発光部から銃口を通して漏れる光が標的側から見え、こちらの位置が判り模擬弾をよけられてしまうのでゲームとしての醍醐味が味わえなくなる。【０００３】  上記の欠点を解決するために、例えば特許文献２に開示されているように、模擬弾が詰め込まれているマガジン内に発光部を設け、模擬弾に光を照射する方式がある。しかしながら、この方式においては、発光部へ電気を供給するために、使用するマガジンの各々に発光部用のバッテリを内蔵させなければならず、ゲームのトータルコストが高くなる。また、模擬弾に光を照射してから発射されるまでに時間が長くなり、模擬弾が充分発光できなくなるおそれがある。【０００４】  また、以上のような欠点を解決するため、例えば特許文献３に開示されているように、発射のための圧力を模擬弾に与える加圧部において模擬弾に光を照射する方式がある。しかしながら、この方式においては、銃口と一直線上にある加圧部を照射するので、発光部から銃口を通して漏れる光を抑えることができない。
【先行技術文献】
【特許文献】
【０００５】
【特許文献１】特公平２−５３７２０号公報
【特許文献２】特許第３９７７４０２号公報
【特許文献３】実用新案登録第３２１２００１号公報
【発明の概要】
【発明が解決しようとする課題】
【０００６】  そこで、本発明は、コストの低い、夜間等の暗闇で使用する場合の醍醐味が味わえる模擬銃を提供することを目的とするものである。
【課題を解決するための手段】
【０００７】  上記課題を解決するため、請求項１に記載の模擬銃においては、模擬弾を外部に発射するための圧力を発生する圧力発生機構と、模擬弾の通路であって当該通路内で前記圧力が模擬弾に与えられる加圧路と、当該加圧路から模擬弾を外部に導くためのバレルと、マガジンから送り込まれた模擬弾を前記加圧路に導くための導入路であって前記加圧路と交差するものとが銃本体に設けられた模擬銃において、前記導入路に位置する模擬弾に光を照射するための発光部が設けられていることを特徴とする。
【発明の効果】
【０００８】  本発明によれば、コストの低い、夜間等の暗闇で使用する場合の醍醐味が味わえる模擬銃を提供することができる。
【図面の簡単な説明】
【０００９】
【図１】本発明の実施例１となる模擬銃の要部断面図である。
【図２】図１における発光部の付近を見た平面図である。
【図３】本発明の実施例２となる模擬銃を説明するための要部断面図である。
【図４】図３における発光部の付近の断面図である。
【図５】図４における発光部の付近を見た平面図である。
【図６】図３と図４における発光部の動作を制御するための制御回路を示す図である。
【発明を実施するための形態】
【実施例１】
【００１０】  図１は本発明の実施例１となる模擬銃の要部断面図である。図１では、本発明に直接関係しない部分については記載しておらず、以下の図でも同様とする。【００１１】  図１において、１は銃本体に装着されるマガジンで、このマガジン１には多数の蓄光型の模擬弾２が詰め込まれており、マガジン１内に設けられた加圧機構によって、マガジン１から出た模擬弾２は銃本体に設けられた円形管状の導入路３に送りこまれる。
４は模擬弾２を銃口まで導くための円形管状のバレルである。バレル４は通常長いが、図面では途中でカットしてある。５はバレル４と一直線上でかつ導入路３側に位置する円形管状の加圧路である。導入路３と加圧路５は一体成型されたプラスチック製で、互いに直角に交差した形状をしている。導入路３に送り込まれた模擬弾２は加圧路５に入り、ここで模擬弾２に対しバレル４を経由して外部に発射するための圧力が与えられるようになっている。６はバレル４と加圧路５の間に挿入されたストッパであり、弾性部材より成っている。【００１２】  ７は模擬弾２を発射するための圧力を発生する圧力発生機構であり、銃本体にセットされるバッテリにより作動するものである。この圧力発生機構７から管状のノズル８が突き出ており、模擬弾２を発射する場合、先ずノズル８の先端でバレル４の端、すなわちストッパ６の位置まで模擬弾２を押出し、その後ノズル８からエアが噴出して模擬弾２を加圧するようになっている。
なお、圧力発生機構７の内部には、ノズル８を動かし、その後ノズル８から模擬弾２を発射させるためのエアを噴出させるための動力源となるモータが設けられており、このモータは前記バッテリから電力が供給されるようになっている。【００１３】  ９、１０は導入路３の途中に設けた発光部であり、導入路３の周囲の互いに１８０度離間した対抗位置に取付けられている。発光部９、１０の各々は基板１１にＬＥＤ素子１２を搭載したものから成っており、導入路３に設けた穴１３にＬＥＤ素子１２を挿入した格好で取付けてある。
さらに詳しく説明すると、発光部９の付近を矢印１４の方向から見た平面図を図２に示すが、導入路３に形成される孔１３は、模擬弾２の進行方向に沿った孔１５とこれと直角方向の孔１６とから成って十字状になっており、孔１５と１６の交差位置にＬＥＤ素子１２が収まるようになっている。
なお、発光部１０の付近を上記と同様に見た平面図も図２と同じである。【００１４】  発光部９、１０は銃本体にセットされるバッテリにより作動し、図示していないが、発光部９、１０への電力をオン、オフするスイッチが設けてあり、発光部９、１０の発光制御ができるようになっている。
なお、銃本体にセットされるバッテリが複数ある場合、発光部９、１０を作動させるバッテリは圧力発生機構７を作動させるバッテリと別のものでもよい。【００１５】  以上の模擬銃によれば、模擬銃を夜間等の暗闇で使用する場合、上記スイッチをオンとして発光部９、１０を発光状態にしておく。この状態で、マガジン１から導入路３に送り込まれる模擬弾２は導入路３の途中において光が照射され、バレル４から放出される模擬弾２は発光するようになる。
なお、発光部９、１０を作動させる時だけコネクタを介してバッテリと電気的接続を行うようにすることでスイッチを省略することも可能であり、スイッチは必須ではない。【００１６】  以上の実施例１によれば、特許文献１に開示された従来技術に比べて、発光部９、１０を導入路３に設けたので模擬弾２への照射時間を確保できる。従って、光量の大きな発光部でなくても模擬弾２に充分な光量を与えることができ、しかも特別な制御部は不要なので、コストを低くすることができる。
特に、発光部９、１０が導入路３の周囲の互いに１８０度離間した対抗位置に取付けられており、しかも孔１３が十字状になっているので、模擬弾２にできるだけ長い時間、かつ広く光を照射でき、充分な光量を与えることができる。【００１７】  また、特許文献２に開示された従来技術に比べて、模擬弾に光を照射してから発射されるまでに時間は短くなり、模擬弾が発光できないおそれはなくなる。また、使用するマガジンの各々に発光部用のバッテリを内蔵させる必要はなく、ゲームのトータルコストを低く抑えることができる。
また、発光部９、１０を銃口と一直線上にない導入路３に設けたので、特許文献１や特許文献３に開示された従来技術に比べて、発光部から銃口を通して漏れる光を抑えることができる。従って、標的側からこちらの位置を判りにくくすることができ、ゲームとしての醍醐味が味わうことができる。【００１８】  また、特許文献１に開示された従来技術においては、模擬弾２が実際に発射されないと発光部の点検ができない。従って、発光部の点検ができる場所が発砲の許されたエリアに限定され不便である。また、特許文献３に開示された従来技術においては、発光部の点検をする場合、銃口から覗かなければならないが、銃の銃口を覗くことは一般的には危険であり、抵抗があるものである。
一方、実施例１によれば、マガジン１を銃本体に装着する前にマガジン１の差込み側から導入路３を覗けば、発光部９、１０が正常に作動するかどうかの事前点検が可能である。従って、発光部の点検ができる場所が限定されず、しかも安心して行うことができる。【００１９】  なお、実施例１においては、発光部９、１０が取付けられる導入路３が模擬弾２の進行方向に複数に分割されていても良く、いずれかの部分に発光部を取付けてあればよい。
また、発光部９、１０は導入路３の周囲の互いに１８０度離間した対抗位置に取付けたが、充分な光量が模擬弾２に与えられるなら、片方だけ取付けるだけでもよい。
また、模擬弾２に光を照射する孔１３は十字状にしたが、充分な光量が模擬弾２に与えられるなら、片方だけ、例えば模擬弾２の進行方向に沿った孔１５だけでもよい。【００２０】  また、マガジン１に圧力発生機構７を作動させるためのバッテリを格納させる場合には、このバッテリで発光部を作動させるようにしてもよい。
また、発光部９、１０の一部の領域が加圧路５側に位置するようにしておくと、模擬弾２が加圧路５に送り込まれる時期まで照射できるので、模擬弾２を充分照射することができる。これは、例えば孔１５を加圧路５まで延ばすことでもよい。但し、発光部９、１０の光が加圧路５から銃口を通して漏れる光が弱いことが条件である。
また、導入路３の一部あるいは全体の部材を透明部材で構成し、その透明部材の外部周辺に発光部を設けるようにしても良く、上記の分割する場合においても、いずれかの部分の外部周辺に発光部を取付けてあればよい。
【実施例２】
【００２１】  図３は本発明の実施例２となる模擬銃を説明するための要部断面図である。
図３において、図１、図２と同じものには同じ番号を付してある。実施例１と異なる点は、発光部を加圧路５の導入路３と交差する位置１７に設けている点である。発光部の付近を矢印１８の方向から見た断面図を図４に示すが、加圧路５の周囲の互いに１８０度離間した対抗位置に発光部１９、２０取付けられている。発光部１９、２０の各々は、実施例１と同様、基板２１にＬＥＤ素子２２を搭載したものから成っており、加圧路５に設けた穴２３にＬＥＤ素子２２を挿入した格好で取付けてある。【００２２】  発光部２０の付近を矢印２４の方向から見た平面図を図５に示すが、加圧路５に形成される穴２３は、模擬弾２の進行方向に沿った孔２５とこれと直角方向の孔２６とから成って十字状になっており、孔２５と２６の交差位置にＬＥＤ素子２２が収まるようになっている。
なお、発光部１９の付近を上記と同様に見た平面図も図５と同じである。【００２３】  図６は、発光部１９、２０の動作を制御するための制御回路を示す図である。
図６において、２７は圧力発生機構７の内部に設けられるモータであり、実施例１で説明したように、ノズル８を動かした後ノズル８から模擬弾２を発射させるためのエアを噴出させるための動力源となるものである。２８は銃本体にセットされるバッテリ、２９はモータ２７に供給するバッテリ２８からの電力のオン、オフを制御するスイッチング機構である。【００２４】  模擬銃には、模擬弾２の発射を指令するためのトリガを引いた時に一つの模擬弾２が発射される単発モードと、トリガを引いている期間において模擬弾２が連射される連射モードがある。上記スイッチング機構２９は、単発モードにおいてはトリガが引かれるのに合わせてオンとなり、ノズル８からエアが噴出されるのに合わせてオフとなる。また連射モードにおいてはトリガが引かれるのに合わせてオンとなり、トリガが離されるのに合わせてオフとなるように構成されている。【００２５】  発光部１９、２０の中のＬＥＤ素子３０は、モータ２７とスイッチング機構２９と直列に接続されている。３１は、模擬銃を昼間に使用する場合にオンにしてＬＥＤ素子３０へ電流が流れないようにし、発光部１９、２０が作動しないようにするための昼夜切替スイッチである。【００２６】  以上の模擬銃によれば、模擬銃を夜間等の暗闇で使用する場合、昼夜切替スイッチ３１をオフとして発光部２０、２１が作動できる状態にしておく。この状態において、単発モードにおいては、トリガが引かれると発光部２０、２１が発光を始め、同時に圧力発生機構７が作動し、導入路３から加圧路５に送り込まれている模擬弾２はノズル８によりストッパ６で止まるまで押出される。その後、ノズル８からエアが噴出され模擬弾２が発射されるのに伴って、発光部２０、２１の発光が停止する。
なお、連射モードにおいては、トリガが引かれると発光部２０、２１が発光を始め、同時に導入路３から加圧路５に送り込まれる模擬弾２のノズル８による押出しとエア噴出による発射がトリガが離されるまで繰り返される。発光部２０、２１はトリガが離されるのに伴って発光が停止する。【００２７】  以上の実施例２によれば、特許文献１〜３に開示された従来技術との比較に関しては、実施例１とほぼ同じことがいえる。
なお、この実施例２においては、構造上、発光部２０、２１が銃口と一直線上にある加圧路５に形成されているが、発光部２０、２１は模擬弾２を発射させる際のトリガを引いた時に発光し始め、単発モードでの一つの模擬弾２、あるいは連射モードでの最後の模擬弾２が発射された後では発光が停止するように制御されるようになっているので、発光部から銃口を通して漏れる光を抑えることができる。【００２８】  また、実施例１においては、加圧路５に送り込まれてから発射までの時間が長くなってしまった模擬弾２の場合は、模擬弾２が充分発光できなくなるおそれがある。特に一発目の模擬弾２が発光できなくなるおそれがある。実施例２によれば、模擬弾２は発射されるまで加圧路５の中で照射されるので、発射までの時間が長くなって模擬弾２が発光できなくなるおそれはなくなる。【００２９】  なお、実施例２においては、発光部２０、２１は加圧路５の周囲の互いに１８０度離間した対抗位置に取付けたが、充分な光量が模擬弾２に与えられるなら、片方だけ取付けるだけでもよい。
また、模擬弾２に光を照射する孔２３は十字状にしたが、充分な光量が模擬弾２に与えられるなら、片方だけ、例えば模擬弾２の進行方向に沿った孔２５だけでもよい。
また、発光部２０、２１の一部の領域が導入路３側に位置するようにしておくと、模擬弾２が加圧路５に送り込まれる前から照射できるので、模擬弾２を充分照射することができる。これは、例えば孔２６を導入路３まで延ばすことでもよい。
また、加圧路５の全体あるいは発光部の取付位置の部材を透明部材で構成し、その透明部材の外部周辺に発光部を設けるようにしてもよい。
【符号の説明】
【００３０】  １：マガジン  ２：模擬弾  ３：導入路  ４：バレル  ５：加圧路  ６：ストッパ
７：圧力発生機構  ８：ノズル  ９、１０、１９、２０：発光部  １１、２１：基板
１２、２２、３０：ＬＥＤ素子  １３、２３：穴  １５、１６、２５、２６：孔
２７：モータ  ２８：バッテリ  ２９：スイッチング機構  ３１：昼夜切替スイッチ
【図１】
2019120483.tif 000003
【図２】
2019120483.tif 000004
【図３】
2019120483.tif 000005
【図４】
2019120483.tif 000006
【図５】
2019120483.tif 000007
【図６】
2019120483.tif 000008